(57)【要約】【課題】簡易な構成で支持部材の一部が破損等してもユニット単位で簡単に交換できる物体の曲面形状の型取が可能な型取冶具を提供する。【解決手段】複数の棒材２５のそれぞれを摺動自在に支持する複数の支持ユニット１０と、複数の支持ユニット１０を複数の棒材２５と共に巻き付ける、可撓性を有する帯状体２０とを備え、複数の支持ユニット１０は、帯状体２０の長手方向に配置され、複数の支持ユニット１０のそれぞれは、平板部１０Ｐと、両端において平板部１０Ｐに直交する方向に形成され、棒材２５を摺動自在に支持する開孔１２を有する屈曲部１０Ｅとを含み、帯状体２０は、複数の棒材２５が複数の支持ユニット１０の開孔１２に支持される際に、複数の棒材２５と複数の支持ユニット１０の平板部１０Ｐとの間で形成される空隙に配置されることを特徴とする。【選択図】        図１
2005030478.tif 000002
【特許請求の範囲】
【請求項１】
物体の曲面形状を型取りするための型取治具であって、
複数の棒材と、
該複数の棒材のそれぞれを摺動自在に支持する複数の支持ユニットと、
該複数の支持ユニットを前記複数の棒材と共に巻き付ける、可撓性を有する帯状体とを備え、
前記複数の支持ユニットは、前記帯状体の長手方向に配置され、前記複数の支持ユニットのそれぞれは、平板部と、該平板部の両端において該平板部に直交する方向に形成され、前記棒材を摺動自在に支持する開孔を有する屈曲部とを含み、
前記帯状体は、前記複数の棒材が前記複数の支持ユニットの前記開孔に支持される際に、前記複数の棒材と前記複数の支持ユニットの前記平板部との間で形成される空隙に配置されることを特徴とする型取治具。
【請求項２】
前記支持ユニットは、前記屈曲部のそれぞれに複数の開孔を有し、前記支持ユニットの前記屈曲部は、隣接する他の支持ユニットの屈曲部と、少なくとも１つの前記開孔が互いに重なるように、帯状体の長手方向に千鳥状に配置されていることを特徴とする請求項１に記載の型取治具。
【請求項３】
前記棒材及び前記帯状体は、磁性体で形成されていることを特徴とする請求項１または２に記載の型取治具。
【請求項４】
前記支持ユニットのそれぞれは、上下左右対称な形状であることを特徴とする請求項１に記載の型取治具。
【発明の詳細な説明】
【０００１】
【発明の属する技術分野】
本発明は、物体の曲面形状を型取する型取治具に関し、特に、配管等の接続作業を現場にて行う際の、配管等の形状を型取りする型取治具に関する。
【０００２】
【従来の技術】
従来、ダクトや排気管といった配管の接続作業においては、現場でいわゆる現物合わせによる配管作業を強いられる場合が多々発生し、このような場合には、コンパス、巻尺等を使用し、現物に合わせて試行錯誤により配管表面等の曲面形状の型取りが行われ、形状の正確な型取りが困難であった。また、作業に長時間を要し、さらに不正確な型取りにより、配管材料を損失するといった問題を生じていた。
【０００３】
このような、現場での困難な型取作業を補助するために、種々の型取治具が提案されている（例えば、特許文献１〜３参照）。
【０００４】
【特許文献１】
特開昭５９−１７１６９８号公報
【特許文献２】
特公平８−１４３４８号公報
【特許文献３】
特開平１−９７５８０号公報
【発明が解決しようとする課題】
しかしながら、上述の特許文献１〜３に開示された型取治具においては、いずれも曲面形状に当接させる棒状部材を支持する支持部材と、これらを包摂する帯状部材とが一体となっており、現場での実際の配管径に合せた、微妙な調整が困難であり、種々の配管形状や配管径に対する現場での作業性に問題を生じていた。また、例えば、支持部材の一部に破損が生じた場合には、型取治具全体を交換しなければならず、経済性、効率性の点でも問題を生じていた。さらに、帯状部材を展開するときに、曲面形状を型取した際の棒状部材の位置がずれて、実際の曲面形状の正確な展開が困難であるという問題を生じていた。
【０００５】
そこで、本発明は上記のような従来技術の問題点に鑑みて、簡易な構成で支持部材の一部が破損等してもユニット単位で簡単に交換できる物体の曲面形状の型取が可能な型取治具を提供することを目的とする。
【０００６】
【課題を解決するための手段】
上記目的を達成するために、本発明の型取治具は、物体の曲面形状を型取りするための型取治具であって、複数の棒材と、該複数の棒材のそれぞれを摺動自在に支持する複数の支持ユニットと、該複数の支持ユニットを前記複数の棒材と共に巻き付ける、可撓性を有する帯状体とを備え、前記複数の支持ユニットは、前記帯状体の長手方向に配置され、前記複数の支持ユニットのそれぞれは、平板部と、該平板部の両端において該平板部に直交する方向に形成され、前記棒材を摺動自在に支持する開孔を有する屈曲部とを含み、前記帯状体は、前記複数の棒材が前記複数の支持ユニットの前記開孔に支持される際に、前記複数の棒材と前記複数の支持ユニットの前記平板部との間で形成される空隙に配置されることを特徴とする。
【０００７】
このように構成した本発明の型取治具は、複数の棒材が複数の支持ユニットの開孔に支持される際に、複数の棒材と複数の支持ユニットの平板部との間に、配置された帯状体により保持されるので、簡易な構成で支持ユニットのユニット単位での増減が可能な型取治具が実現できる。
【０００８】
また、前記支持ユニットは、前記屈曲部のそれぞれに複数の開孔を有し、前記支持ユニットの前記屈曲部は、隣接する他の支持ユニットの屈曲部と、少なくとも１つの前記開孔が互いに重なるように、帯状体の長手方向に千鳥状に配置されていてもよい。
【０００９】
この場合は、支持ユニットの開孔が、棒材を保持すると共に、棒材により支持ユニット同士が連結されるので、簡易な構成で支持ユニットのユニット単位での増減を可能とすると共に、より確実に支持ユニットの連結を実現することができる。
【００１０】
さらに、前記棒材及び前記帯状体は、磁性体で形成されていてもよい。
【００１１】
この場合は、棒材が帯状体に対して、任意の位置で固定されるので、帯状体を展開した際にも、棒材の位置が移動せず、曲面形状の平面展開が容易となる。
【００１２】
さらにまた、前記支持ユニットのそれぞれは、上下左右対称な形状であってもよい。
【００１３】
この場合は、ユニット単位での製作がより容易となり、より安価に型取治具を提供することができる。
【００１４】
【発明の実施の形態】
以下図面を参照して、本発明の好適な実施形態について、図１〜図３を用いて説明する。
【００１５】
図１は、本発明に係る型取治具の展開状態を示す斜視図である。また、図２は、本発明の型取治具に係る支持ユニットの詳細を示す図であり、（ａ）は斜視図、（ｂ）は正面図、（ｃ）は平面図、（ｄ）は側面図である。さらに、図３は、本発明に係る支持ユニットの連結構造を示す模式図である。
【００１６】
図１に示されるように、本発明の一実施形態に係る型取治具１は、開孔１２を有する多数の支持ユニット１０が、マグネットベルト２０の長手方向に沿って千鳥状に配列され、この上に可撓性を有する帯状体であるマグネットベルト２０が載置されている。さらに、棒材である磁性体から形成された多数のピン２５が、支持ユニット１０の両端の開孔１２を介して摺動自在に保持されるように構成されている。なお、磁性ピン２５の両端には、接触による作業者や部材間の損傷を防ぐために、必要に応じて任意の形状のキャップ２７を設けることができる。
【００１７】
以下、本発明の型取治具の詳細について説明する。
【００１８】
まず、本発明に係る支持ユニット１０は、図２に示されるように、平板部１０Ｐとこの両端において、平板部１０Ｐと直交する方向に屈曲した２つの屈曲部１０Ｅから構成される。さらに、２つの屈曲部１０Ｅのそれぞれには、棒材を摺動自在に保持できるような大きさに形成された、例えば２つの開孔１２が形成されている。そして、多数の支持ユニット１０は、図３に模式的に示されるように、それぞれの平板部１０Ｐが互いに隣接し、さらに、両端の屈曲部Ｅのそれぞれに形成された２つの開孔１２が、互いに隣接する他の支持ユニット１０の屈曲部１０Ｅの開孔１２と重なり合い、かつ、平板部１０Ｐと直交する方向に互い違い（千鳥状）に配置されている。
【００１９】
このように構成した本発明の型取治具においては、多数の支持ユニット１０が互いに隣接する開孔１２が重なり合うように千鳥状に配置され、同一支持ユニット１０における両端の開孔１２間に亘って磁性ピン２５を貫通させることにより、多数の支持ユニット１０が互いに連結されると共に、多数の磁性ピン２５と多数の支持ユニット１０との間に形成されている空間にマグネットベルト２０が配置されることにより、簡易な構成で多数の磁性ピン２５を、互いに連結された多数の支持ユニット１０と共に、保持することが可能となる。また、支持ユニット１０は、上下左右対称の構造であり、製作が容易であると共に、ユニット構造であるので、複数の支持ユニット１０の内、一部が破損等した場合であっても、簡単に交換することができる。さらに、ピン２５とマグネットベルト２０とは、共に磁性体で形成されているので、図５に示されるように、ピン２５とマグネットベルト２０とが互いに磁気的に引きつけ合いマグネットベルト２０を展開した状態においても、磁性ピン２５の位置が変化しない。これにより、曲面形状の平面展開や現場での展開図の作成が容易となる。ここで、ピン２５とマグネットベルト２０との間の磁気結合力は、現場での型取りの際には、磁気力に打ち勝って摺動自在に移動できるような磁気結合力であることが好ましい。
【００２０】
また、マグネットベルト２０を締結する際には、例えば、予め適当数の棒材２５及び支持ユニット１０を通しておいたマグネットベルト２０を接合する配管５０の外周面に沿って巻きつける。そして、微細な外周径の調整は、現場にて支持ユニット１０の数量を適宜増減して調整する。その後、図４に示されるように、マグネットベルト２０の開放端部を、適当数に調整されたピン２５及び支持ユニット１０の外周面に重畳するように、さらに巻きつける。これにより、マグネットベルト２０と棒材２５との間の磁気結合力によりマグネットベルト２０が簡易に締結される。なお、この段階で、ピン２５が作業者により上下方向に摺動可能なよう、仮止めしておくことが好ましい。さらに、接合する配管６０に対して、実際の接合角度に従って、型取治具１を接触させ、相手側の配管６０の曲面形状に倣うように、複数のピン２５を摺動させて、相手側の配管６０の表面にピン２５の先端を当接させる。
【００２１】
なお、より詳細に配管５０と配管６０との接触面の曲面形状を型取りしたい場合には、例えば、型取治具１により得られる曲面形状の輪郭線から、キャップ２７の径をオフセットさせることにより求めてもよいし、キャップ２７の先端部の描く軌跡が配管５０の外径と一致するように、先端部を内径側に傾斜させて形成することにより求めてもよい。
【００２２】
【発明の効果】
以上説明したとおり、本発明に係る型取治具によれば、簡易な構成で物体の曲面形状が型取りでき、支持材の一部が破損等しても簡単に交換することができる型取治具を実現することが可能となる。
【図面の簡単な説明】
【図１】本発明に係る型取治具の展開状態を示す斜視図である。
【図２】本発明の型取治具に係る支持ユニットの詳細を示す図であり、（ａ）は斜視図、（ｂ）は正面図、（ｃ）は平面図、（ｄ）は側面図である。
【図３】本発明に係る支持ユニットの連結構造を示す模式図である。
【図４】本発明に係る型取治具の使用状態を示す斜視図である。
【図５】本発明に係る型取治具の展開状態での棒材の配置を示す平面図である。
【符号の説明】
１      型取治具
１０    支持ユニット
１０Ｅ  屈曲部
１０Ｐ  平板部
１２    開孔
２０    マグネットベルト
２５    ピン
２７    キャップ
【図１】
2005030478.tif 000003
【図２】
2005030478.tif 000004
【図３】
2005030478.tif 000005
【図４】
2005030478.tif 000006
【図５】
2005030478.tif 000007